(57)【特許請求の範囲】
【請求項１】
石と石の間の圧搾力によって穀物を粉砕する石臼であって、
中央部に、粉砕される穀物が投入される穀物注入口（１１）と注入された穀物を底面に移動するようにする流入路（１２）が形成された上石臼；
前記上石臼の下側に位置し、上石臼の流入路（１２）を通じて上面中央部に流入する穀物を縁部へ流れるようにし、上石臼との圧搾力によって穀物を１次粉砕する中石臼；
前記中石臼の下側に位置し、中石臼との圧搾力によって穀物を２次粉砕するもので、その上面直径は前記中石臼の底面直径より大きく形成され、中石臼より外側にまで延在する下石臼の上面縁部は穀物が内側に流れるように傾いて形成され、中石臼の縁部で流入する粉砕穀物が中央部へ流れるようにし、粉砕された穀物を排出する排出通路が形成された下石臼；
前記中石臼は回転できるようにするが上石臼と下石臼は回転できないようにする中石臼回転手段；及び
前記中石臼を回転させる作動手段；
を含み、
前記作動手段は、前記中石臼の底面に形成された環形の溝に取り付けられたリングギア（７３）と、モーター軸（７１）が下石臼（３０）を貫いて上方に伸びるように前記下石臼（３０）の内部に取り付けられた駆動モーター（７０）と、中石臼（２０）のリングギア（７３）とかみ合うように前記モーター軸（７１）の先端に結合されたピニオンギア（７２）とを含む、
ことを特徴とする、三段石臼。
【請求項２】
前記中石臼回転手段は、前記中石臼（２０）の中央に形成された垂直貫通孔（２２）と、前記垂直貫通孔（２２）を貫き、上端（４１）が上石臼（１０）に結合され、下端（４２）が下石臼（３０）に結合された中心軸（４０）とを含むことを特徴とする、請求項１に記載の三段石臼。
【請求項３】
前記作動手段は前記中石臼の側面に固定された取っ手を含むことを特徴とする、請求項１に記載の三段石臼。
【請求項４】
前記上石臼と中石臼の間の隙間Ｃ１は粉砕される穀物が中央部から縁部へ流れるように上方に向って凸の形状になるように形成され、中石臼と下石臼の間の隙間Ｃ２は穀物が縁部から中央部へ流れるように下方に向って凸の形状になるように形成されたことを特徴とする、請求項１に記載の三段石臼。
【請求項５】
前記下石臼の排出通路は、上面中央部に形成された環形の溝（３１）、及び前記溝（３１）から下方に伸びた多数の排出路（３２）を含んでなり、前記多数の排出路（３２）の下部には外部と連通する中空部３３が形成されたことを特徴とする、請求項１に記載の三段石臼。
【請求項６】
前記中石臼の上面縁部に環形の溝（２３）が形成され、前記溝（２３）から底面まで伸びた移動路（２４）が多数形成されたことを特徴とする、請求項１に記載の三段石臼。
【請求項７】
前記下石臼にヒーター線（６０）が埋め込まれており、前記下石臼の埋め込まれたヒーター線（６０）によって加熱された熱が外部に伝達されないようにするために、下石臼の縁部に断熱材（６１）が埋め込まれたことを特徴とする、請求項１に記載の三段石臼。
【請求項８】
前記下石臼の中空部（３３）に挿入できるように構成され、多数の排出路（３２）から排出される粉砕穀物を受け、液体と固体を分離する収納容器（５０’）を含むことを特徴とする、請求項５に記載の三段石臼。
【発明の詳細な説明】
【技術分野】
【０００１】
本発明は伝統的に穀物を挽くのに使われる石臼に関し、より詳しくは上石臼、中石臼及び下石臼の三段に構成され、上石臼と中石臼の間、および中石臼と下石臼の間で２回にかけて穀物を挽くことができ、穀物をより微細に挽き、それによって食べ物の味を一層おいしくし、さらに、石臼の形態を外部に露出させて伝統的な雰囲気を表出し、粉砕された穀物が下石臼の中央部で流出するようにして粉砕穀物の処理を容易にし得る三段石臼に関する。
【背景技術】
【０００２】
石臼は二つの円柱形の石の間の圧搾力によって豆、緑豆などの穀物を粉砕するもので、かなり古い時代から使われている伝統的な家庭用粉砕機である。伝統的な石臼は、図１に示したように、上石臼１００、下石臼１１０、及び上石臼１００を回転させる取っ手１０１からなっている。上石臼１００には、粉砕すべき穀物を注入するための注入口１０２が形成されており、前記注入口１０２は上石臼１００を上下に貫通している。注入口１０２の周りには凹みが形成され、穀物が注入口側にうまく流入するようになっている。上石臼１００の側部には取っ手１０１が設けられている。図示の例においては、取っ手１０１がボルト１０３で固定されている。この場合には、対応する上石臼１００の部分に雌ネジ部（図示せず）が埋め込まれている。もちろん、取っ手１０１の設置構造は他の形態でも構成可能である。
【０００３】
上石臼１００と下石臼１１０の接触面は、傘のように中央から周辺に行くほど低くなる傾斜面になっており、下石臼１１０の上面中心には前記上石臼１０の底面中心に形成された挿入孔（図示せず）に挿入される軸ピン（図示せず）が設けられている。
【０００４】
上石臼１００と下石臼１１０の接触面は荒い方が穀物をうまく挽くことができるため、玄武岩のように天然的に気孔が多いものを使うことが好ましい。玄武岩の外にも花崗岩、脈斑岩などが使える。
【０００５】
従来の石臼は、水にふやかした穀物を水と一緒に少しずつ上石臼１００の注入口１０２に入れながら取っ手１０１で上石臼１００を回す作業を続ける。その場合、ふやかされた穀物は上石臼１００と下石臼１１０の間の接触面で圧搾力及び摩擦力によって粉砕されながら側方に流れ、外側に流れながら続いて粉砕される。挽かれた穀物は上石臼１００と下石臼１１０の間の隙間を通じて外部に排出されて下側の保存容器に収容される。
【０００６】
このように挽かれた穀物を用いた飲食物としては、おから、おぼろ豆腐、緑豆のチヂミなどがある。   
【０００７】
前述した従来の石臼は、上石臼１００と下石臼１１０の接触面でのみ圧搾力及び摩擦力によって穀物を粉砕するようになっているので、穀物を微細に粉砕することが容易でなく、それによって味がおいしくならないという問題点がある。   
【０００８】
また、従来の石臼は、粉砕穀物が石臼の縁部から流出するようになっているため、石臼を大きな容器内に配置するかあるいは粉砕穀物を収集する装置を別に設置しなければならない問題点があった。
【発明の概要】
【発明が解決しようとする課題】
【０００９】
本発明は前記のような従来の石臼の問題点を解決するためのもので、穀物を２回粉砕してより微細に粉砕することができるようにして穀物の味をよりよくするとともに、石臼の外形を外部に現して伝統的な雰囲気を表出できるようにする三段石臼を提供することを目的とする。
【００１０】
本発明の他の目的は、粉砕された穀物が中心部で排出されるようにして、粉砕された穀物を容易に収集することができるようにし、後処理作業を容易にする三段石臼を提供することにある。
【課題を解決するための手段】
【００１１】
前記目的を達成するための本発明の三段石臼は、石と石の間の圧搾力によって穀物を粉砕する石臼であって、中央部に、粉砕される穀物が投入される穀物注入口と注入された穀物を底面に移動するようにする流入路が形成された上石臼；前記上石臼の下側に位置し、上石臼の流入路を通じて上面中央部に流入する穀物を縁部へ流れるようにし、上石臼との圧搾力によって穀物を１次粉砕する中石臼；前記中石臼の下側に位置し、中石臼との圧搾力によって穀物を２次粉砕するもので、その上面直径は前記中石臼の底面直径より大きく設定され、中石臼より外側にまで延在する下石臼の上面縁部は穀物が内側に流れるように傾いて形成され、中石臼の縁部で流入する粉砕穀物が中央部へ流れるようにし、粉砕された穀物を排出する排出通路が形成された下石臼；前記中石臼は回転できるようにするが上石臼と下石臼は回転できないようにする中石臼回転手段；及び前記中石臼を回転させる作動手段；を含み、前記作動手段は、前記中石臼の底面に形成された環形の溝に取り付けられたリングギアと、モーター軸が下石臼を貫いて上方に伸びるように前記下石臼の内部に取り付けられた駆動モーターと、中石臼のリングギアとかみ合うように前記モーター軸の先端に結合されたピニオンギアとを含む、ことを特徴とする。
【００１２】
本発明の三段石臼において、前記中石臼回転手段は、前記中石臼の中央に形成された垂直貫通孔と、前記垂直貫通孔を貫き、上端が上石臼に結合され、下端が下石臼に結合された中心軸とを含むことができる。
【００１３】
本発明の三段石臼において、前記作動装置は前記中石臼の側面に固定された取っ手であってもよい。
【００１５】
本発明の三段石臼において、前記上石臼と中石臼の間の隙間は粉砕される穀物が中央部から縁部へ流れるように上方に向って凸の形状になるように形成され、中石臼と下石臼の間の隙間は穀物が縁部から中央部へ流れるように下方に向って凸の形状になるように形成されることができる。
【００１６】
本発明の三段石臼において、前記下石臼の排出通路は、上面中央部に形成された環形の溝、及び前記溝から下方に伸びた多数の排出路を含んでなることができ、前記多数の排出路の下部には外部と連通する中空部が形成されることができる。
【００１７】
本発明の三段石臼において、前記中石臼の上面縁部に環形の溝が形成されることができ、前記溝から底面まで伸びた移動路が多数形成されることができる。
【００１８】
本発明の三段石臼において、前記下石臼にヒーター線が埋め込まれることができ、前記下石臼の埋め込まれたヒーター線によって加熱された熱が外部に伝達されないようにするために、下石臼の縁部に断熱材が埋め込まれることができる。
【００１９】
本発明の三段石臼において、前記下石臼の中空部に挿入できるように構成されることができ、多数の排出路から排出される粉砕穀物を受け、液体と固体を分離する収納容器を含むことができる。
【発明の効果】
【００２０】
本発明による三段石臼は、穀物を２回粉砕してより微細に粉砕することができるようにして穀物の味をよりよくするだけでなく、内部の中心軸で上石臼と下石臼を連結するので、石臼の外形をそのまま外部に現すことができ、伝統的な雰囲気をそのまま呈することができる。
【００２１】
また、本発明の三段石臼は、粉砕された穀物が中心部で排出されるようにするので、粉砕された穀物を容易に集めることができ、それによって後処理作業が容易に行える。
【図面の簡単な説明】
【００２２】
【図１】従来の石臼を示す斜視図である。
【図２】本発明の一実施例による三段石臼の斜視図である。
【図３】図２の実施例の三段石臼の分解斜視図である。
【図４】図２の実施例の三段石臼の断面図である。
【図５】本発明の他の実施例によった三段石臼の分解斜視図である。
【図６】図５の実施例の三段石臼の断面図である。
【図７】本発明のさらに他の実施例による三段石臼の斜視図である。
【図８】図７の実施例の三段石臼の断面図である。
【図９】図７の実施例の三段石臼の分解斜視図である。
【図１０】図７の実施例の三段石臼に使われる収納容器の断面図である。
【発明を実施するための形態】
【００２３】
以下、本発明の実施例を添付図面に基づいて詳細に説明する。
【００２４】
本発明の一実施例による三段石臼は、通常の石臼と同様に、石と石の間の圧搾力によって穀物を粉砕する石臼であり、図２〜図４に示したように、上石臼１０、中石臼２０、下石臼３０、及び中心軸４０からなり、全体的に釜状を取って穀物を粉砕し、昔の趣が感じられるようになっている。
【００２５】
上石臼１０は、中央部に、粉砕すべき穀物が投入される穀物注入口１１と、注入された穀物を底面に移動させる流入路１２とが形成されている。穀物注入口１１は真中に形成され、流入路１２の下端は中心軸４０から少しずれた外側位置に穀物が流入するようになっている。
【００２６】
中石臼２０は前記上石臼１０の下側に位置し、上石臼１０の流入路１２を通じて上面中央部に流入する穀物を縁部へ流れるようにし、上石臼１０との圧搾力によって穀物を１次粉砕するもので、中央に垂直貫通孔２２が形成されている。中石臼２０の側面には取っ手２１が結合されている。
【００２７】
下石臼３０は前記中石臼２０の下側に位置し、中石臼２０の縁部で流入する粉砕穀物が中央部へ流れるようにし、中石臼２０との圧搾力によって穀物を２次粉砕するもので、粉砕された穀物を排出するために、上面中央部に環形の溝３１及び下方に伸びた排出路３２が形成されている。
【００２８】
図４に示したように、下石臼３０の上面直径は中石臼２０の底面直径より大きく設計されており、中石臼２０より外側にまで延在する下石臼３０の上面縁部は穀物が内側に流れるように傾いて形成されている。
【００２９】
中心軸４０は前記中石臼２０の垂直貫通孔２２を貫くもので、上端４１が上石臼１０に結合され、下端４２が下石臼３０に結合されることにより、中石臼２０は回転できるようにするが上石臼１０と下石臼３０は回転できないようにする。このために、中心軸４０の上端４１と下端４２は断面が方形などの角形にし、上石臼１０の底面に形成された軸固定孔１３と下石臼３０の上面に形成された軸固定孔３４も断面が方形などの角形にすることにより、上石臼１０と中心軸４０の間、かつ下石臼３０と中心軸４０の間で相対回転ができないようにする。そして、中石臼２０に挿入される部分は断面を円形にし、中石臼２０の垂直貫通孔２２との間に余裕を与えて中石臼２０は回転できるようにする。
【００３０】
図示のように、前記上石臼１０と中石臼２０の間の隙間Ｃ１は粉砕される穀物が中央部から縁部へ流れるように上方に向って凸の形状になるように形成され、中石臼２０と下石臼３０の間の隙間Ｃ２は穀物が縁部から中央部へ流れるように下方に向って凸の形状になるように形成されている。隙間Ｃ１、Ｃ２は上下の石の間に衝撃的摩擦が生じない程度であれば十分であるので、できるだけ微細に形成することが好ましい。
【００３１】
前記下石臼３０の中央下部には外部に露出された中空部３３が形成され、前記下石臼３０の排出路３２は前記中空部３３に連通している。中空部３３には収納容器５０が配設されることで、排出路３２から排出される粉砕穀物を収納することができる。しかし、排出路３２を下石臼３０の側面又は底面まで形成して、粉砕穀物が下石臼３０の外側に排出されるようにするかあるいはホースを連結して粉砕穀物を受けることもできる。   
【００３２】
そして、中心軸４０の上石臼１０と中石臼２０の間と、中石臼２０と下石臼３０の間にそれぞれスラストベアリング（ｔｈｒｕｓｔ  ｂｅａｒｉｎｇ）４３、４４が取り付けられている。これにより、中石臼２０が円滑に回転するようにするとともに上石臼１０と中石臼２０の間と、中石臼２０と下石臼３０の間で摩滅による石粉の生成を防止する。
【００３３】
また、中石臼２０と下石臼３０の隙間に沿って流れる粉砕物が粉砕及び移動過程で煮られるように、前記下石臼３０の上面付近にヒーター線６０が埋め込まれている。このために、下石臼３０の側面に多数のヒーター孔３５が形成され、これにヒーター線６０が挿入される。そして、ヒーター線６０で発生した熱が側面に伝達される現象を防止するために、下石臼３０の縁部に断熱材６１が埋め込まれている。
【００３４】
図５及び図６は本発明の他の実施例を示す。図示のように、他の実施例は、中石臼２０’の上面縁部に環形の溝２３が形成され、前記溝２３から底面まで伸びた移動路２４が多数形成されていることのみが違い、残りは前述した実施例と同一である。
【００３５】
本発明のさらに他の実施例による三段石臼は、図７〜図１０に示したように、上石臼１０、中石臼２０”、下石臼３０”、中石臼回転手段、及び動力装置からなっている。
【００３６】
この実施例の三段石臼は、動力によって中石臼２０”を回転させるようになっている点が前述した実施例と違う。すなわち、中石臼２０”を回転させる作動手段として動力装置を用いている。
【００３７】
前記動力装置は、中石臼２０”の底面に形成された環形溝に設置されたリングギア７３と、前記下石臼３０”の内部にモーター軸７１が下石臼３０”を貫いて上方に伸びるように設置されている駆動モーター７０と、前記モーター軸７１の先端に、中石臼２０”のリングギア７３とかみ合うように結合されたピニオンギア７２とを含む。リングギア７３はボルトによって中石臼２０”に固定される。このために、中石臼２０”の対応部分には前もってナットが埋め込まれている。
【００３８】
前記下石臼３０”の中央下部には形成された中空部３３には収納容器５０’が挿入される。収納容器５０’は多数の排出路３２から排出される粉砕穀物を受けて液体と固体を分離するようになっている。このために、収納容器５０’は、例えば図９及び図１０に示したように、濾過網５１を取り付けることにより、粉砕穀物の液体は濾過網５１の下側に通過し、固体は濾過網５１上に残るようにする方式で分離することができる。
【００３９】
収納容器５０’には取っ手５２を設けて中空部３３に対する出入を便利にし、濾過網５１の縁部には、収納容器５０’の側壁上端に係合する掛け部５３を形成して分離及び設置を容易にすることが好ましい。
【００４０】
このように構成された本発明の三段石臼は次のように作用する。
【００４１】
豆、緑豆などの粉砕しようとする穀物を水に入れてふやかした後、穀物と少量の水を一緒に少しずつ上石臼１０の穀物注入口１１に入れながら中石臼２０、２０’又は２０”を回転させる。図３及び図５の実施例の場合には、作動手段である取っ手２１によって、図７の実施例の場合には作動手段である動力装置の駆動モーター７０によって中石臼２０、２０’又は２０”を回転させる。この時、上石臼１０は中心軸４０を介して下石臼３０又は３０”と連結されているため、回転しない。
【００４２】
中心軸４０の上端４１と下端４２が角形になっており、上石臼１０の軸固定孔１３と下石臼３０の軸固定孔３４も前記中心軸４０の上端４１と下端４２と嵌め合わせられるように角形になっているため、上石臼１０と下石臼３０又は３０”は相対回転ができない。そして、中心軸４０が回転せず、中心軸４０の中間部は円筒形になり、中石臼２０、２０’又は２０”の垂直貫通孔２２も円筒形になっているため、中石臼２０、２０’又は２０”が中心軸４０を中心に回転する。
【００４３】
穀物注入口１１の穀物は流入路１２に沿って上石臼１０と中石臼２０、２０’又は２０”の間の隙間Ｃ１の中央部から縁部へ流れながら少しずつ粉砕される。
【００４４】
図２の実施例では、１次粉砕された穀物が中石臼２０の外側面に沿って下側に流れ、下石臼３０の縁部から中石臼２０と下石臼３０の隙間Ｃ２に流入する。
【００４５】
図５及び図７の実施例では、１次粉砕された穀物が中石臼２０’又は２０”の縁部に形成された溝２３に集まり、ついで移動路２４に沿って下側に流れ、中石臼２０’又は２０”と下石臼３０又は３０”の間の隙間Ｃ２に流入する。
【００４６】
１次粉砕された穀物は中石臼２０、２０’又は２０”と下石臼３０又は３０”の間の隙間Ｃ２の縁部から中央部へ流れながら２次粉砕され、中央部の溝３１に集まり、ついで排出路３２を通じて下側に流れる。
【００４７】
このように、本発明の三段石臼は上石臼１０と中石臼２０、２０’又は２０”の間で、かつ中石臼２０、２０’又は２０”と下石臼３０又は３０”の間でそれぞれ穀物を２回にかけて粉砕するので、穀物をより微細に粉砕することができ、これによって穀物の味がよりよくなる。そして、上石臼１０と下石臼３０又は３０”を内部の中心軸４０を介して互いに固定しているので、全体的に釜形状を外部に露出させることができる。
【００４８】
また、粉砕穀物が下石臼の中央部で排出されるようになっているので、粉砕穀物を容易に受けることができ、以後の粉砕穀物に対する後処理工程が容易に行える。
【００４９】
一方、下石臼にヒーター線６０を埋め込んだ場合には、図示のように粉砕穀物が煮られて排出されるので、収納容器５０、５０’の液体を豆乳として直ちに食べるか、さらに加工しておぼろ豆腐として食べることができ、固体は豆腐又はおからとして食べることができる。
【００５０】
図７の実施例の場合には、中石臼２０”を回転させる時、動力装置の駆動モーター７０を使うので、作業が非常に便利である。
【００５１】
以上、本発明を具体例に基づいて詳細に説明したが、本発明の技術思想の範囲内で多様な変形及び修正が可能なことは当業者に明らかであり、このような変形及び修正が添付の特許請求範囲に属するものであるのは言うまでもない。
【符号の説明】
【００５２】
Ｃ１、Ｃ２    隙間
１０    上石臼
１１    穀物注入口
１２    流入路
１３    軸固定孔
２０、２０’、２０“    中石臼
２２    垂直貫通孔
２３    溝
２４    移動路
３０、３０”    下石臼
３１    溝
３２    排出路
３３    中空部
３４    軸固定孔
３５    ヒーター孔
４０    中心軸
４１    上端
４２    下端
４３、４４    スラストベアリング
５０、５０’    収納容器
５１    濾過網
５２    取っ手
５３    掛け部
６０    ヒーター線
６１    断熱材
７０    駆動モーター
７１    モーター軸
７２    ピニオンギア
７３    リングギア
【図１】
0006553724.tif 000002
【図２】
0006553724.tif 000003
【図３】
0006553724.tif 000004
【図４】
0006553724.tif 000005
【図５】
0006553724.tif 000006
【図６】
0006553724.tif 000007
【図７】
0006553724.tif 000008
【図８】
0006553724.tif 000009
【図９】
0006553724.tif 000010
【図１０】
0006553724.tif 000011